(57)【要約】【課題】設備又は施工の簡略化を図るとともに、光源の照射方向を自由に設定する。【解決手段】通風部２は、固定部３によりボディ１に取り付けられ、ユーザの操作により、３５０°の範囲で水平回転するとともに、先端部２１の中央が真下方向にあるときを中心にして、すべての方向に６０°の範囲で揺動する。照明負荷５は、照明装置４に取り付けられ、また、照明装置４は、通風部２に固定されている。ユーザが、先端部２１の開口２１０の向きを上記２つの範囲で自由に設定すると、この設定された向きに対応する外部領域に対して、空調装置６からの空気を吹き出すとともに、光源５０により明るく照射する。【選択図】図１
2006331886.tif 000002
【特許請求の範囲】
【請求項１】
空気の吹き出し及び空気の吸い込みのうち少なくとも一方を行う空調装置と連通するボディと、
先端に開口を有して前記ボディに突設され、前記空調装置から前記開口までを前記ボディとともに連通し、予め決められた角度の範囲で揺動自在とする通風部と、
前記通風部に収納され、前記通風部とともに揺動して前記開口から外部を照射する光源と
を備えることを特徴とする光源装置。
【請求項２】
前記空調装置が、前記空気の吹き出しを行い、
前記光源が、発光ダイオードであり、
前記光源を、前記空調装置により吹き出される空気から遮蔽する遮蔽手段を備える
ことを特徴とする請求項１記載の光源装置。
【請求項３】
前記空調装置が、前記空気の吹き出しを行い、
前記ボディに収納される殺菌灯を備える
ことを特徴とする請求項１又は２記載の光源装置。
【発明の詳細な説明】
【技術分野】
【０００１】
本発明は、空調装置とともに用いられる光源装置に関するものである。
【背景技術】
【０００２】
従来、この種の光源装置（第１従来例の光源装置）は、例えば、店舗などの施設の天井において、空調装置の通風口（吹出口、吸込口）とは別の場所に、ダウンライトなどの照明器具として設置されるものである。
【０００３】
ところが、第１従来例の光源装置は、上記天井において、空調装置の通風口やダクトなどにより、設置場所が限定されるとともに、電線などの設置場所も複雑になっていた。これにより、天井に設置される設備が多くなるとともに、これらの設備の施工が難しくなるという問題があった。特に、光源装置及び空調装置の個数が多くなると顕著になる。また、透明性を有する天井（スケルトン天井）では、設備の簡素化がより求められている。
【０００４】
上記問題を解決するために、空調装置の吹出口に光源を一体に備える第２従来例の光源装置が開発されている。上記第２従来例の光源装置の具体例として、特許文献１には、通風路に照明器具（光源）を設置する空調用吹出しディフュザー（光源装置）が開示されている。
【特許文献１】実開平２−８９２４２号公報（第３，４頁及び第１図）
【発明の開示】
【発明が解決しようとする課題】
【０００５】
しかしながら、特許文献１などの第２従来例の光源装置は、光源を固定して備えるので、光源の照射方向を固定してしまうという問題があった。
【０００６】
本発明は上記の点に鑑みて為されたものであり、その目的とするところは、設備又は施工の簡略化を図ることができるとともに、光源の照射方向を自由に設定することができる光源装置を提供することにある。
【課題を解決するための手段】
【０００７】
請求項１に記載の発明は、空気の吹き出し及び空気の吸い込みのうち少なくとも一方を行う空調装置と連通するボディと、先端に開口を有して前記ボディに突設され、前記空調装置から前記開口までを前記ボディとともに連通し、予め決められた角度の範囲で揺動自在とする通風部と、前記通風部に収納され、前記通風部とともに揺動して前記開口から外部を照射する光源とを備えることを特徴とする。
【０００８】
この構成では、光源が通風部とともに揺動するように収納されるので、設備又は施工の簡略化を図ることができるとともに、光源の照射方向を自由に設定することができる。
【０００９】
請求項２に記載の発明は、請求項１に記載の発明において、前記空調装置が、前記空気の吹き出しを行い、前記光源が、発光ダイオードであり、前記光源を、前記空調装置により吹き出される空気から遮蔽する遮蔽手段を備えることを特徴とする。この構成では、空調装置から吹き出される空気が光源の発光ダイオードに直接あたるのを低減することにより、発光ダイオードに対して、急激な温度変化による劣化を低減させながら、側面方向の空気の対流で温度上昇を低減させることができるので、光束を増加させることができ、長寿命化を図ることができる。
【００１０】
請求項３に記載の発明は、請求項１又は２に記載の発明において、前記空調装置が、前記空気の吹き出しを行い、前記ボディに収納される殺菌灯を備えることを特徴とする。この構成では、殺菌灯により、空調装置から吹き出される空気の殺菌を行うことができる。
【発明の効果】
【００１１】
本発明によれば、設備又は施工の簡略化を図ることができるとともに、光源の照射方向を自由に設定することができる。
【発明を実施するための最良の形態】
【００１２】
（実施形態１）
本発明の実施形態１について図１を用いて説明する。図１（ａ）は、実施形態１の光源装置の側面図である。なお、右半分は断面図である。図１（ｂ）は、上記光源装置の下面図である。
【００１３】
先ず、実施形態１の基本的な構成について説明する。実施形態１の光源装置は、外部を照射しながら、空調装置からの空気を吹き出すものであり、図１に示すように、ボディ１と、通風部（自在型空調吹出し部）２と、固定部３と、照明装置４と、照明負荷５とを備え、空調装置６と接続している。空調装置６は、ダクト６０から空気の吹き出しを行う。なお、上記空調装置６は、上記に限定されるものではなく、空気の吹き出しに代えて、空気の吸い込みを行うもの、又は、空気の吹き出し及び吸い込みを切り替えて行うものであってもよい。
【００１４】
ボディ１は、例えば厚み０．８ｍｍの鋼板などにより、箱状に形成されている本体１０と、本体１０の右側面１００に突設されている突出部１１と、本体１０の上面１０１に突設されているカバー１２とを備えている。上記ボディ１の表面には、例えば黒色のつや消し塗装などが施されている。本体１０は、上面１０１に貫通孔１３を有している。また、本体１０は、下面１０２に開口１４を有し、上記開口１４の周辺に突設されている４つのねじ部１５を備えている。一方、突出部１１は、筒状に形成され、開口１１０がダクト６０からの空気の吹き出し方向（図１（ａ）の左右方向）になるように、ダクト６０と連通して取り付けられるものである。カバー１２は、開口１２０を有する箱状に形成され、上記開口１２０を本体１０の上面１０１側（図１（ａ）の下側）にして取り付けられるものであり、後述する安定器４３を収納している。また、カバー１２は、底部１２１に複数の取付孔１２２，１２２を有し、上記各取付孔１２２に挿入されるねじ１２３により、天井（図示せず）にねじ止め固定されるものである。
【００１５】
通風部２は、例えば厚み１．５ｍｍのアルミニウムなどにより、略球状に形成されている本体２０と、本体２０に突設されている先端部２１とを備え、固定部３によりボディ１の本体１０の下面１０２に突設されているものである。上記通風部２の表面には、例えばクリア塗装又は白色塗装などが施されている。本体２０は、先端部２１に対向する位置に開口２００を有している。一方、先端部２１は、先端側に開口２１０を有している。上記通風部２は、空調装置６から上記開口２１０までをボディ１とともに連通し、予め決められた角度である６０°の範囲で揺動自在とする。また、通風部２は、中心軸に対して、３５０°の水平回転を行う。
【００１６】
固定部３は、下側固定部３０と、上側固定部３１とを備えている。下側固定部３０は、例えばアルミニウムなどにより、環状に形成されている環状片３００と、環状片３００の内縁から下方に延設されている内片３０１と、内片３０１の一端から中心方向に延設されている突条片３０２と、環状片３００の外縁から上方に延設されている外片３０３とを一体に備えている。環状片３００は、４つの貫通孔３０４（図１（ｂ）参照）を９０°毎に有し、２つの貫通孔３０４間毎に取付孔３０５を有している。一方、上側固定部３１は、例えばアルミニウムなどにより、環状に形成されている環状片３１０と、環状片３１０の内縁から上方に延設されている内片３１１と、内片３１１の一端から中心方向に延設されている突条片３１２とを一体に備えている。環状片３１０は、４つの貫通孔（図示せず）を９０°毎に有し、２つの貫通孔間毎に取付孔３１３を有している。上記下側固定部３０及び上側固定部３１は、照射方向を保持するための環状のゴムパッキン３２，３２とともに通風部２の本体２０を内側に嵌めた状態で、図１（ｂ）に示すように、下側固定部３０の貫通孔３０４及び上側固定部３１の貫通孔にねじ３３が挿入され、固定部３として組み立てられる。組み立てられた固定部３は、図１（ａ）に示すように、各取付孔３０５，３１３にボディ１の本体１０のねじ部１５が挿入され、上記ねじ部１５にナット３４が螺合されることにより、上記本体１０の下面１０２に取り付けられる。
【００１７】
照明装置４は、基板４０と、ソケット４１と、接続端子４２と、安定器４３と、端子台４４とを備えている。基板４０は、例えば鋼板などにより、略長方形状に形成されている底部４００と、底部４００の長手方向（図１（ａ）の左右方向）に沿った両縁から下方に延設されている一対の側部４０１とを一体に備えている。底部４００は、長手方向に両端に取付孔４０２を有している。底部４００の長さは、限定されるものではないが、長手方向が１２０〜１６０ｍｍであり、短手方向が２０〜４０ｍｍであることが好ましい。上記底部４００は、取付孔４０２及び接合片４６の取付孔４６０に挿入されるねじ（図示せず）により、接合片４６の一端側に固定されている。上記接合片４６の他端側は、取付孔４６１及び通風部２の取付孔２０１にねじ４７が挿入されることにより、通風部２に固定されている。一方、ソケット４１は、有底筒状に形成され、一対のねじ４１０，４１０により、基板４０の底部４００に取り付けられるものである。接続端子４２は、ボディ１の貫通孔１３に取り付けられ、ハーネス４５を介してソケット４１と電気的に接続しているとともに、安定器４３とも電気的に接続している。安定器４３は、カバー１２の底部１２１に取り付けられ、カバー１２に覆われているものであり、後述する照明負荷５の光源５０を点灯させる。端子台４４は、カバー１２の右側部１２４の外側に取り付けられるものであり、安定器４３と外部電源（図示せず）とを電気的に接続する。
【００１８】
照明負荷５は、光源５０と、反射鏡５１と、前面ガラス５２とを備え、通風部２に収納されているものであり、通風部２とともに揺動する。光源５０は、例えば高演色コンパクトメタルハライドランプなどであり、ソケット４１に固定されているものであり、安定器４３からの電力に応じて点灯し、通風部２の開口２１０から外部を照射する。反射鏡５１は、略円錐状に形成され、ソケット４１に固定されているものであり、内部に光源５０を収納している。また、反射鏡５１は、銀系の材料が蒸着により内側に形成されている。上記より、反射鏡５１は、光源５０から放射された光を反射する。前面ガラス５２は、例えば硬質ガラスなどであり、下側から見ると略円状に形成されているものであり、反射鏡５１の他端を覆うものである。光源５０からの光、及び光源５０から放射され、反射鏡５１で反射された光は、前面ガラス５２を透過して外部を照射する。
【００１９】
次に、実施形態１の光源装置の動作について説明する。ユーザの操作により、通風部２が、３５０°の水平回転を行うとともに、先端部２１の中央が真下方向にあるときを中心にして、すべての方向に６０°の範囲で揺動する。これにより、先端部２１の開口２１０の向きを上記２つの範囲で自由に設定することができるので、この設定された向きに対応する外部領域に対して、空調装置６からの空気を吹き出すことができるとともに、光源５０により明るく照射することができる。
【００２０】
以上、実施形態１によれば、光源５０が通風部２とともに揺動するように収納されるので、設備又は施工の簡略化を図ることができるとともに、光源５０の照射方向を自由に設定することができる。
【００２１】
（実施形態２）
本発明の実施形態２について図２を用いて説明する。図２は、実施形態２の光源装置の側面図である。なお、右半分は断面図である。
【００２２】
実施形態２の光源装置は、図２に示すように、ボディ１ａと、通風部２と、固定部３と、照明装置４ａと、照明負荷５ａとを備え、空調装置６と接続している。なお、通風部２、固定部３及び空調装置６は、実施形態１と同様である。
【００２３】
ボディ１ａは、実施形態１のボディ１（図１参照）とは異なり、本体１０ａと、本体１０ａの上面１０１ａに突設されている突出部１１ａとを備えている。
【００２４】
また、照明装置４ａの接続端子４２ａは、実施形態１の照明装置４の接続端子４２（図１参照）とは異なり、ボディ１ａの本体１０ａの右側面１００ａの貫通孔１３ａに取り付けられるものである。
【００２５】
さらに、照明負荷５ａの光源５０ａは、実施形態１の照明負荷５の光源５０（図１参照）とは異なり、例えばハロゲンランプなどであり、ソケット４１ａに固定されているものである。
【００２６】
なお、実施形態２の光源装置の動作は、実施形態１の光源装置の動作と同様である。
【００２７】
以上、実施形態２の場合であっても、実施形態１と同様の効果を得ることができる。
【００２８】
（実施形態３）
本発明の実施形態３について図３を用いて説明する。図３（ａ）は、実施形態３の光源装置の側面図である。なお、右半分は断面図である。図３（ｂ）は、上記光源装置の下面図である。
【００２９】
実施形態３の光源装置は、図３（ａ）に示すように、ボディ１ａと、通風部２と、固定部３と、照明装置４ｂと、照明負荷５ｂとを備え、空調装置６と接続している。なお、ボディ１ａ、通風部２、固定部３及び空調装置６は、実施形態２と同様である。
【００３０】
照明負荷５ｂの光源５０ｂは、実施形態２の照明負荷５ａの光源５０ａ（図２参照）とは異なり、発光ダイオード（ＬＥＤ）である。上記光源５０ｂは、図３（ｂ）に示すように、下側から見ると略円状に形成されている。
【００３１】
また、照明装置４ｂは、図３（ａ）に示すように、実施形態２の照明装置４ａ（図２参照）とは異なり、遮蔽カバー４８を備えている。遮蔽カバー４８は、例えば鋼板などにより、正面から見ると断面台形状に、下側から見ると略円状（図３（ｂ）参照）に形成されているものであり、内部に光源５０ｂを収納している。上記遮蔽カバー４８は、光源５０ｂを、空調装置６により吹き出される空気から遮蔽する遮蔽手段の一部である。
【００３２】
さらに、実施形態３の光源装置は、ボディ１ａ内において、ダクト６０と光源５０ｂとの間に、遮蔽板７を備えている。上記遮蔽板７は、例えば厚み１．２ｍｍの鋼板などにより、略長方形状に形成されている底部７０と、底部７０の長手方向（図３（ａ）の左右方向）に沿った両縁から下方に延設されている一対の側部７１とを一体に備え、遮蔽カバー４８とともに、光源５０ｂを、空調装置６により吹き出される空気から遮蔽する遮蔽手段である。底部７０の長さは、限定されるものではないが、長手方向が照明装置４の基板４０の底部４０の長手方向より短く８０〜１２０ｍｍであり、短手方向が２０〜４０ｍｍであることが好ましい。底部７０は、長手方向に両端に取付孔７２を有している。上記底部７０は、取付孔７２及び接合片７３の取付孔７３０にねじ（図示せず）が挿入されることにより、接合片７３の一端側に固定されている。上記接合片７３の他端側は、取付孔７３１にねじ４７が挿入されることにより、通風部２に固定されている。
【００３３】
ここで、実施形態３の光源装置における空調装置６から吹き出される空気の流れについて図３（ａ）を用いて説明する。図３（ａ）の矢印Ａは、上記空気の流れを示す。先ず、上記空気は、空調装置６のダクト６０から吹き出され、ボディ１ａ内において、遮蔽板７にあたる。次に、上記空気は、遮蔽板７を避けるように外側に流れ、通風部２に流れる。続いて、空気は、遮蔽カバー４８により覆われている光源５０ｂの側面を流れ、開口２１０から外部に吹き出される。上記より、空調装置６から吹き出される空気が光源５０ｂに直接あたるのを低減することができる。
【００３４】
なお、実施形態３の光源装置の動作は、実施形態２の光源装置の動作と同様である。
【００３５】
以上、実施形態３によれば、実施形態１と同様の効果を得ることができるとともに、空調装置６から吹き出される空気が光源５０ｂの発光ダイオードに直接あたるのを低減することにより、発光ダイオードに対して、急激な温度変化による劣化を低減させながら、側面方向の空気の対流で温度上昇を低減させることができるので、光束を増加させることができ、長寿命化を図ることができる。
【００３６】
（実施形態４）
本発明の実施形態４について図４を用いて説明する。図４は、実施形態４の光源装置の側面図である。なお、右半分は断面図である。
【００３７】
実施形態４の光源装置は、図４に示すように、ボディ１ｂと、通風部２と、固定部３と、照明装置４と、照明負荷５とを備えているとともに、殺菌灯８と、殺菌灯点灯装置９とを備え、空調装置６と接続している。なお、通風部２、固定部３、照明装置４、照明負荷５及び空調装置６は、実施形態１と同様である。
【００３８】
ボディ１ｂの本体１０ｂは、実施形態１のボディ１の本体１０より幅（図４の左右方向）が広く、通風部２が取り付けられる位置と右側面１００ｂとの間にスペースを有している。
【００３９】
殺菌灯８は、後述する殺菌灯点灯装置９の反射板９１に取り付けられてボディ１ｂの上記スペースに収納されている。上記殺菌灯８は、紫外線を放射することにより、空調装置６から吹き出される空気の殺菌を行う。
【００４０】
一方、殺菌灯点灯装置９は、安定器９０と、反射板９１とを備え、ボディ１ｂに収納されているものである。安定器９０は、上記スペースに設置されているものであり、殺菌灯８に電力を供給する。反射板９１は、例えば厚み０．８ｍｍのアルミニウムなどであり、銀色の鏡面仕上げが施され、安定器９０の上方に設置されているものである。このとき、反射板９１の側面は、通風部２側に、殺菌灯８の高さより高く設けられている。上記より、殺菌灯８から放射される紫外線を外部から見えることを低減することができる。
【００４１】
なお、実施形態４の光源装置の動作は、実施形態１の光源装置の動作と同様である。
【００４２】
以上、実施形態４によれば、実施形態１と同様の効果を得ることができるとともに、殺菌灯８が紫外線を放射することにより、空調装置６から吹き出される空気の殺菌を行うことができる。
【図面の簡単な説明】
【００４３】
【図１】本発明による実施形態１の光源装置であって、（ａ）は側面図、（ｂ）は下面図である。
【図２】本発明による実施形態２の光源装置の側面図である。
【図３】本発明による実施形態３の光源装置であって、（ａ）は側面図、（ｂ）は下面図である。
【図４】本発明による実施形態４の光源装置の側面図である。
【符号の説明】
【００４４】
１  ボディ
１０  本体
２  通風部
２１  先端部
２１０  開口
３  固定部
４  照明装置
５  照明負荷
５０  光源
６  空調装置
【図１】
2006331886.tif 000003
【図２】
2006331886.tif 000004
【図３】
2006331886.tif 000005
【図４】
2006331886.tif 000006